(57)【要約】【課題】建造物の壁面で効率的に水を蒸発させ、以って、建造物壁面に対する太陽光照射による加熱を抑制して、当該壁面を冷却することが出来る建造物冷却システムの提供。【解決手段】建造物（５）の壁面（５ａ）を覆う様に構成されたシート状の熱交換器１０を有しており、シート状の熱交換器１０は、防水性材料から成る第１の表層（防水層１１）と、水蒸気は透過するが水は透過しない材料から成る第２の表層（透質層１２）と、第１の表層と第２の表層との間に位置し且つ保水性を有する材料からなる内部層（多孔質層１３）とを備えており、該内部層（１３）に水を供給する給水機構（２０）を有していることを特徴としている。【選択図】図１
2005037007.tif 000002
【特許請求の範囲】
【請求項１】
建造物の壁面を覆う様に構成されたシート状の熱交換器を有しており、シート状の熱交換器は、防水性材料から成る第１の表層と、水蒸気は透過するが水は透過しない材料から成る第２の表層と、第１の表層と第２の表層との間に位置し且つ保水性を有する材料からなる内部層とを備えており、該内部層に水を供給する給水機構を有していることを特徴とする建造物冷却システム。
【請求項２】
建造物の位置壁面を覆うシート状の熱交換器の水平方向及び／又は鉛直方向の両縁部に電極と、当該電極間に位置する内部層における電気抵抗を計測する手段と、当該手段で計測された電気抵抗に応答して内部層へ供給される水の量を制御する制御手段とを有する請求項１の建造物冷却システム。
【請求項３】
シート状の熱交換器の内部層は、防水性を有する材料から成る仕切りにより、複数の領域に分割されている請求項１、２の何れかの建造物冷却システム。
【請求項４】
シート状の熱交換器における内部層に、葉脈状に分岐したチューブを設置し、該チューブの管壁には多数の細孔を形成する請求項１、２の何れかの建造物冷却システム。
【請求項５】
シート状の熱交換器における内部層を複数区画に分割し、透水率が小さくて保水性が良好な区画と、透水率が大きくて保水性に乏しい区画とが水平方向及び鉛直方向について隣接する様に配置する請求項１、２の何れかの建造物冷却システム。
【請求項６】
シート状の熱交換器における内部層は、重力が作用する方向（鉛直方向）の下方へ行くに連れて透水率が小さくなる様に構成されている請求項１〜５の何れか１項の建造物冷却システム。
【発明の詳細な説明】
【０００１】
【発明の属する技術分野】
本発明は、建造物の壁面に太陽光が照射して建造物内部の温度を上昇してしまうのを抑制して、建造物の空調効率（或いは冷房効率）を向上することが出来る建造物冷却システムに関する。
【０００２】
【従来の技術】
近年、都市部における高温化が環境上、問題となっている。
例えば、いわゆる「ヒートアイランド現象」が問題となっている。
【０００３】
近年の研究の結果、ヒートアイランド現象では、建造物の壁面に太陽光が照射することによる輻射熱が、非常に大きな影響を及ぼしていることが判明している。
建造物の壁面が太陽光の照射により加熱されるため、建造物の内部に空調、冷房を施しても、殆ど効果が得られない場合が多い。
【０００４】
なお、「建造物の壁面」なる文言は人工物の面全般を意味するものであり、道路面や、建造物の屋上をも包含する。
【０００５】
建造物の壁面を冷却してやれば、ヒートアイランド現象による都市部の高温化の解消に大いに寄与することが見込まれる。
例えば、建造物の壁面で水を蒸散させれば、その気化熱により当該壁面を冷却することが可能となる。
【０００６】
しかし、冷却するべき建造物壁面で、水を効率的に蒸発させることが出来る技術は、従来、提案されていない。
特に、高層ビルディングの様な大規模な建造物にも適用可能な技術は皆無である。
【０００７】
その他の従来技術として、例えば、建造物の外壁面を緑化可能とする技術が存在する（特許文献１参照）。
しかし、当該技術は緑化に関する技術であり、緑化を前提としない建造物の冷却には不適当である。
【０００８】
【特許文献１】
特開２００２−２０６３４９号公報
【０００９】
【発明が解決しようとする課題】
本発明は上述した従来技術の問題点に鑑みて提案されたものであり、建造物の壁面で効率的に水を蒸発させ、以って、建造物壁面に対する太陽光照射による加熱を抑制して、当該壁面を冷却することが出来る建造物冷却システムの提供を目的としている。
【００１０】
【課題を解決するための手段】
本発明の建造物冷却システムは、建造物（５）の壁面（５ａ）を覆う様に構成されたシート状の熱交換器（シート状蒸発型熱交換器１０）を有しており、シート状の熱交換器（１０）は、（建造物壁面に当接する面を構成する）防水性材料から成る第１の表層（防水層１１）と、（外気に接触する側の面を構成し）水蒸気は透過するが水は透過しない材料から成る第２の表層（透湿層１２）と、第１の表層と第２の表層との間に位置し且つ保水性を有する材料（例えば、多孔質材料）からなる内部層（多孔質層１３）とを備えており、該内部層（１３）に水を供給する給水機構（２０）を有していることを特徴としている（請求項１）。
【００１１】
ここで、建造物（５）の一壁面（５ａ）を覆うシート状の熱交換器（シート状蒸発型熱交換器１０）の水平方向及び／又は鉛直方向の両縁部に電極（３１）と、当該電極（３１）間に位置する内部層（１３）における電気抵抗を計測する手段（電気抵抗検出器３３）と、当該手段（３３）で計測された電気抵抗に応答して内部層（１３）へ供給される水の量を制御する制御手段（図２では、電気抵抗検出器３３に内蔵された図示しないコントロールユニットと、給水機構の流量制御弁Ｖａ、Ｖｂ）とを有するのが好ましい（請求項２）。
【００１２】
本発明において、シート状の熱交換器（シート状蒸発型熱交換器１０）の内部層（多孔質層１３Ａ）は、防水性を有する材料から成る仕切り（１３ａ）により、（建造物の鉛直方向に延在する）複数の領域（１３ｂ）に分割されているのが好ましい（請求項３）。
なお、当該仕切り（１３ａ）は、可撓性をも有する材料製であることが好ましい。
【００１３】
また、シート状の熱交換器（１０）における内部層（１３Ｂ）に、葉脈状（１３２）に分岐したチューブ（１３０）を設置し、該チューブ（１３０）の管壁には多数の細孔を形成するのが好ましい（請求項４）。
【００１４】
或いは、シート状の熱交換器（１０）における内部層（１３Ｃ）を複数区画に分割し、透水率が小さくて保水性が良好な区画（１３ｄ）と、透水率が大きくて保水性に乏しい区画（１３ｅ）とが水平方向及び鉛直方向について隣接する様に配置するのが好ましい（請求項５）。
【００１５】
これに加えて、シート状の熱交換器における内部層（１３Ｄ）は、重力が作用する方向（鉛直方向）の下方へ行くに連れて透水率が小さくなる様に構成されているのが好ましい（請求項６）。
【００１６】
上述した様な構成を具備する本発明の建造物冷却システムによれば、シート状の熱交換器（１０）における内部層（１３，１３Ａ，１３Ｂ，１３Ｃ）は保水性を有しているので、ここに保持された水が太陽光の輻射熱により蒸発して、気加熱を奪い、建造物の壁面（５ａ）の冷却を行う。そのため、本発明の建造物冷却システムを採用した建造物（５）は、例えば夏季の日照時においても、建造物内の冷房が確実に効いて、空調効率が向上する。
【００１７】
ここで、防水層（１１）は、防水層（１１）から内側へは、水を通さない。即ち、供給した水は、建造物壁面（５ａ）の冷却に寄与せずに、建造物壁面（５ａ）に吸収されてしまう事態を防止する。
一方、透湿層（１２）は、水は通さないが、水蒸気は通す。水を通さないことで水の内部層（１３）から透湿層（１２）外への漏出を防止している。
換言すれば、水蒸気を通すことは水の蒸発を妨げないことであり、水の蒸発が妨げられないので建造物壁面（５ａ）からの気化熱を奪うことも確保される。
【００１８】
本発明において、建造物の一壁面（５ａ）を覆うシート状の熱交換器（シート状蒸発型熱交換器１０）の水平方向及び／又は鉛直方向の両縁部に電極（３１）と、当該電極（３１）間に位置する内部層（１３）における電気抵抗を計測する手段（電気抵抗検出器３３）と、当該手段（３３）で計測された電気抵抗に応答して内部層へ供給される水の量を制御する制御手段（図２では、電気抵抗検出器３３に内蔵された図示しないコントロールユニットと、給水機構の流量制御弁Ｖａ、Ｖｂ）とを有する様に構成すれば（請求項２）、内部層（１３）における水分含有量を適正な範囲に調節することが出来るので、水の蒸発による冷却効果を維持すると共に、水の浪費を防止することが出来る。
【００１９】
すなわち、電気抵抗値が高い場合は、内部層（多孔質層１３）内の含水量が少ないと判断（ステップＳ５）して、供給される水の流量を増加させる（ステップＳ６）。以って、内部層（多孔質層１３）内の含水量を増加して、当該壁面（５ａ）全体に均一に水が行き渡るようにする。
一方、電気抵抗値が低い場合は、内部層（多孔質層１３）内の含水量が多いと判断（ステップＳ７）して、供給される水の流量を減少させる（ステップＳ８）。以って、内部層（多孔質層１３）内の含水量を減少して、消費される水の量を減少せしめる。
【００２０】
ここで、シート状の熱交換器（シート状蒸発型熱交換器１０）の内部層（１３Ａ）は、防水性を有する材料から成る仕切り（１３ａ）により、（建造物の鉛直方向に延在する）複数の領域（１３ｂ）に分割する（請求項３）か、或いは、シート状の熱交換器（１０）における内部層（１３Ｂ）に、葉脈状（１３２）に分岐したチューブ（１３０）を設置し、該チューブ（１３０）の管壁には多数の細孔を形成する（請求項４）か、或いは、シート状の熱交換器（１０）における内部層（１３Ｃ）を複数区画に分割し、透水率が小さくて保水性が良好な区画（１３ｄ）と、透水率が大きくて保水性に乏しい区画（１３ｅ）とが水平方向及び鉛直方向について隣接する様に配置すれば（請求項５）、内部層（１３Ｃ）を均一に濡らす（水の含有量を均一にする）ことが出来るので、冷却の効率が向上する。
【００２１】
これに加えて本発明において、シート状の熱交換器における内部層１３Ｄを、重力が作用する方向（鉛直方向）の下方へ行くに連れて透水率が小さくなる様に構成すれば（請求項６）、水の蒸発のため、下方にいくに連れて内部層を流れる水の流量が減少しても、鉛直方向についても保水量を均一として、水の蒸発量及びそれにより奪われる気化熱を均一にすることが出来る。
【００２２】
【発明の実施の形態】
以下、添付図面を参照して、本発明の実施形態について説明する。
【００２３】
先ず、図１を参照して第１実施形態を説明する。
図１において、建造物（例えば、ビルディング）５の外壁５ａにシート状蒸発型熱交換器１０を張り付ける様な状態で配置する。
【００２４】
前記シート状蒸発型熱交換器１０は、建造物壁面５ａに当接する面を構成する防水性材料から成る第１の表層（防水層）１１と、外気に接触する側の面を構成し水蒸気は透過するが水は透過しない材料から成る第２の表層（透湿層）１２と、第１の表層と第２の表層との間に位置し且つ保水性を有する材料（例えば、多孔質材料）からなる内部層（多孔質層）１３とを備えている。
【００２５】
前記第１の表層である防水層１１は当該熱交換器１０の内側、即ち建物５側には水を通さない材質で構成されており、供給した水が、建造物壁面５ａの冷却に寄与せずに、建造物壁面５ａに吸収されてしまう事態を防止している。
ここで防水層１１を構成する材料としては、例えば、塩化ビニール製シートを用いれば良い。
【００２６】
前記多孔質層（内部層）１３は透水性及び保水性を有する材料（ガーゼ等でも可）で構成されている。換言すれば、多孔質層１３は、例えばガーゼ等の繊維状多孔質で構成することが出来る。
そして多孔質層１３は、少量の水で常に濡れており、水が多孔室内を満遍なく移動する様に構成されているのが好ましい。換言すれば、良好な濡れ性を有する材料が好適である。
【００２７】
前記第２の表層である透湿層１２は、水は通さないが、水蒸気は通す層で構成されている。
例えば、ゴアテックス（商品名）等がある。しかし、材料購入コストを考慮すれば、水を弾く程度に目の細かい網の様な材料が好適である。
すなわち、透湿層１２を構成する材料としては、例えば商品名「ゴアテックス」等の繊維や、間隔が２ｍｍ以下のプラスチック製の網を用いることが出来る。
【００２８】
そのように構成すれば、水を通さないことで水の漏出を防止し、水蒸気を通すことで水の蒸発を妨げない。すなわち、建造物壁面５ａから気化熱を奪うことが妨げられない。
【００２９】
高層ビルディングのような大規模な建造物の場合、水の消費量が多くなりすぎる可能性がある。水の消費が多くなれば、消費される水の分だけ建造物冷却のコストが嵩んでしまう。
そのような観点から水を節約する必要がある。すなわち、出来る限り少量の水により、前記多孔質層に水を効率的に行き亘らせることが必要となる。
【００３０】
但し、水の供給量が少な過ぎると、壁面全体に水分が行き亘らず、水分が行き亘らなかった壁面の領域では、水分の蒸発による冷却（気化熱による冷却）が出来なくなってしまう。
【００３１】
そこで、図２、図３の第２実施形態を提案する。
【００３２】
図２において、建造物５の各壁面５ａはシート状蒸発型熱交換器１０で覆われている。各壁面５ａの上縁部には上縁の全長に亙って給水機構２０の給水管２４ａ、２４ｂが設置されている。
【００３３】
その給水管２４ａ２４ｂは給水機構２０の給水管２２ａ、２２ｂ及び給水管２２を介して給水機構２０の給水タンク２１に連通している。前記給水管２２ａ、２２ｂには夫々流量を調節する給水機構２０の流量制御弁Ｖａ、Ｖｂが介装されている。尚、給水管２２ａ、２２ｂは給水管２２の分岐管である。
【００３４】
各壁面５ａ毎に、壁面５ａの横方向の縁部（建造物５の壁面５ａの両コーナ）に電極３１が配置されている。壁面５ａの両コーナに配置された電極３１、３１と、通電媒体（計測対象）である当該熱交換器１０の内部層１３と、その内部層の抵抗を計測する電気抵抗検出器３３とは、電源３５及びケーブルＬａ、Ｌｂによって回路を形成している。
【００３５】
多孔質層１３（内部層；図１参照）の水分が少ないと、電気抵抗が増加する。一方、水分が多いと、電流が流れ易くなり、電気抵抗が減少する。そこで前記電気抵抗検出器３３により、電極３１、３１間の（内部層１３の）抵抗を検出し、その電気抵抗値から、多孔質層１３内の含水量を把握するように構成されている。
【００３６】
前記電気抵抗検出器３３には、計測した電気抵抗値に応じて前記流量制御弁Ｖａ、Ｖｂに弁開度の制御信号を送る制御手段が内蔵されており、上述のように抵抗値（多孔質層１３内の含水量）が求まると、制御信号を前記流量制御弁Ｖａ、Ｖｂに送り、流量制御弁Ｖａ、Ｖｂは開度を調節し給水管２２ａ、２２ｂを流過する給水量を調節する。
【００３７】
次に、図３を参照して給水量の自動制御方法について説明する。
先ず、制御手段を内蔵した電気抵抗検出器３３は、電気抵抗値を読込み（ステップＳ１）、電気抵抗地が適正か、適正値より大きいか、又は適正値より小さいかを判断する（ステップＳ２）。
【００３８】
電気抵抗値が高い場合（ステップＳ５側の流れ）は、多孔質層内の含水量が少ないと判断して（ステップＳ５）、流量制御弁（Ｖａ、Ｖｂ）の弁開度を増加させ（ステップＳ６）、電気抵抗値が高い壁面に供給される水の流量を増加させる。以って、多孔質層１３内の含水量を増加させて、当該壁面５ａ全体に均一に水が行き渡るようにする。
【００３９】
一方、電気抵抗値が低い場合（ステップＳ７側の流れ）は、多孔質層１３内の含水量が多いと判断して（ステップＳ７）、流量制御弁（Ｖａ、Ｖｂ）の弁開度を減少させ（ステップＳ８）、電気抵抗値が低い壁面に供給される水の流量を減少させる。以って、多孔質層１３内の含水量を減少させて、自然落下により建造物の冷却に寄与せずに（無駄に）消費される水の量を減少せしめる。
【００４０】
なお、電気抵抗値が適切な場合（ステップＳ２のＹＥＳ）は、多孔質総１３内の水分は適正であると判断して（ステップＳ３）、流量制御弁の開度をそのまま維持し（ステップＳ４）、当該壁面への給水量はそのまま維持する。
【００４１】
電気抵抗検出器３３に内臓の図示しない制御手段は、各制御が終了したか否かを判断して（ステップＳ９）、終了であれば（ステップＳ９のＹＥＳ）そのまま終了し、未だ制御を続けるのであれば（ステップＳ９のＮＯ）、ステップＳ１以降を再び繰り返す。
【００４２】
上述したように、制御手段によって、内部層１３へ供給する水分を適正量に調節することができるので水の蒸発による冷却降下を維持すると共に、水の浪費を防止出来る。
【００４３】
ここで、建造物５の各壁面５ａにおいて、均一に濡らすことが必要である。建造物５の天井面を均一に濡らすことは出来ても、側面の各々において均一に濡らすことは困難である。
理由は、重力の作用により水分が下方に落下するが、その結果、水平方向について、水分が存在する領域と、水分が存在しない領域とが混在してしまう可能性があるからである。
【００４４】
建造物５の壁面５ａ或いは側面の各々について、壁面（側面）５ａ全体を均一に濡らすべく、図４、図５、図６で示す様な実施形態を提案する。
【００４５】
図４は第３実施形態を説明する平面図である。
【００４６】
図４において、図示しない垂直の壁面全面に被せた熱交換器の内部層１３Ａは、防水性且つ可撓性を備えた垂直方向の複数の仕切り（鉛直方向に延在する仕切り）１３ａにより、水平方向に複数の領域１３ｂに仕切られている。
【００４７】
係る仕切１３ａを設けることにより、比較的幅が狭く、鉛直方向に延在する複数の領域１３ｂが、区画される。比較的幅が狭い領域であれば、幅方向（水平方向）について、均一に濡らすことが容易となる。
【００４８】
前記防水性とは、水が隣接する領域に漏れないようにするための機能であり、可撓性とは、シート状蒸発型熱交換器全体の可撓性を維持して、建造物壁面の形状に対応して、被覆することを可能にすると共に、シート状蒸発型熱交換器を運搬する際には、丸めて持ち運び可能とするための機能である。
【００４９】
次に図５を参照して第４実施形態を説明する。
図５の第４実施形態は、各壁面に配置されたシート状蒸発型熱交換器（図１参照）の多孔質層１３Ｂに、葉脈状に複雑に分岐した（分岐部は符号１３２で示す）送水チューブ１３０を設置した実施形態である。
該送水チューブ１３０及びその分岐部１３２の管壁には図示しない多数の細孔が形成されており、送水チューブ１３０及び分岐部１３２内を流れる水をチューブ外のシート状蒸発型熱交換器へ供給するように構成されている。
【００５０】
葉脈状の送水チューブ１３０を配置したシート状蒸発型熱交換器は、その熱交換器の全面に亘って、（葉脈状チューブ１３２内を流れる）水を供給し、均一に濡らすことが出来る。
【００５１】
次に図６を参照して第５実施形態を説明する。
各壁面に設けられるシート状蒸発型熱交換器（図１参照）の多孔質層の透水性が良好であれば、少量の水で、多孔質層の全領域に亘って給水が可能である。但し、保水性が良くないので、多孔質層内に留まる水の量が少ない。蒸発して気化熱を奪うことが出来る水の量が少ない為、冷却効率が良くない。
【００５２】
これに対して、多孔質層の保水性を良好にすれば、長時間に亘り水が蒸発して気化熱を奪うので、冷却効率が向上。しかし、保水性が良好であれば、透水性はさほど良くないので、多孔質層の全領域に亘って給水するのが難しい。
【００５３】
この矛盾に対処するのが図６の第５実施形態である。
多孔質層１３Ｃは、格子状に多数の区画に分割されている。その多数の区画には、透水率が小さくて保水性が良好な区画１３ｄと、透水率が大きくて保水性に乏しい区画１３ｅとが存在する。
【００５４】
図６で示す様に、透水率が小さくて保水性が良好な区画１３ｄと、透水率が大きくて保水性に乏しい区画１３ｅとは、水平方向及び鉛直方向について、隣接する様（千鳥格子状）に配置されている。
【００５５】
シート状蒸発型熱交換器の多孔質層を上述した様に構成することにより、多孔質層１３Ｃ全域に給水することを可能とせしめ、多孔質層１３Ｃ全域に対する給水を均一化すると同時に、保水性を向上して、必要な冷却性能を確保している。
【００５６】
上述したように、内部層１３Ａを防水性を有する材料１３ａで仕切る（第３実施形態）か、シート状の熱交換器における内部層１３Ｂに、葉脈状に分岐したチューブ１３０を設置し、そのチューブ１３０の管壁に多数の細かい孔を形成する（第４実施形態）か、或いは、シート状の熱交換器における内部層１３Ｃを複数区画に分割し、透水性が小さくて保水性が良好な区画１３ｄと、透水性が大きくて保水性に乏しい区画１３ｅとが水平方向及び鉛直方向について隣接するように配置すれば（第５実施形態）、内部層１３Ａ、１３Ｂ、１３Ｃを均一に濡らすことが出来るので、冷却効果が向上する。
次に図７を参照して第６実施形態を説明する。
【００５７】
シート状蒸発型熱交換器（図１参照）の多孔質層内の水は、重力の作用する方向（鉛直方向）に流れる（落下する）。その間に、水が蒸発するため、当該水の流れは、下方にいくにつれて、次第に流量が減少する。
【００５８】
鉛直方向について、多孔質層の透水率が同一であると、水の供給流量が異なってしまう（下方ほど流量が減少する）ため、鉛直方向について保水量が均一とならない。
しかし、建造物壁面における冷却性能を確保するためには、鉛直方向についても保水量を均一として、水の蒸発量及びそれにより奪われる気化熱を均一にする必要がある。
【００５９】
そのためには、鉛直方向上方の領域における多孔質層の透水率を大きくして、鉛直方向下方の領域における多孔質層の透水率を小さくする、すなわち、透水率に傾斜を持たせる必要がある。
【００６０】
図７の第６実施形態では、シート状蒸発型熱交換器（図１参照）の多孔質層は、その透水率が、鉛直方向について、傾斜を有している。
第６実施形態の特徴について、図７を参照して以下に説明する。
【００６１】
図７は、多孔質層（内部層）１３Ｄの全面に亙って、透水率ρを水平方向に、多孔質層１３Ｄの下縁からの高さＨを垂直方向に取った立体グラフである。
即ち、図中の水平方向に伸びる矢印ρ１〜ρｈの長さが、透水率の大きさを示している。
図７に示すように、図７の第６実施形態では、同一高さでは同じ透水率であるが、高さの増加に比例して透水率は増加するように構成されている。
【００６２】
上述のように、内部層１３Ｄを重力が作用する方向（鉛直方向）の下方に行くにしたがって透水率が小さくなるように構成しているので、水の蒸発による内部層下方の水量の減少があっても、鉛直方向の保水量を均一にして、水の蒸発量及びそれによって奪われる気化熱を均一にすることが出来る。
【００６３】
図示の実施形態はあくまでも例示であり、本発明の技術範囲を限定する趣旨の記述ではない旨を付記する。
【００６４】
【発明の効果】
本発明の作用効果を以下に列挙する。
（１）  シート状の熱交換器における内部層に保持された水が太陽光の輻射熱により蒸発して、気加熱を奪い、建造物の壁面の冷却を行う。そのため、例えば夏季の日照時においても、建造物内の冷房が確実に効いて、空調効率が向上する。
（２）  ここで、防水層は、内側へは水を通さないので、供給した水が、建造物壁面の冷却に寄与せずに、建造物壁面に吸収されてしまう事態を防止出来る。一方、透湿層は、水は通さないが、水蒸気は通すので、水の蒸発を妨げず、建造物壁面からの気化熱を奪うことも確保される。
（３）  内部層へ供給される水の量を制御する様に構成すれば、内部層における水分含有量を適正な範囲に調節することが出来るため、水の蒸発による冷却効果を維持すると共に、水の浪費を防止することが出来る。
（４）  シート状の熱交換器の内部層を仕切りにより複数の領域に分割するか、シート状の熱交換器の内部層に葉脈状に分岐したチューブを設置し、該チューブの管壁に多数の細孔を形成するか、或いは、シート状の熱交換器の内部層を複数区画に分割し、透水率が小さくて保水性が良好な区画と、透水率が大きくて保水性に乏しい区画とが水平方向及び鉛直方向について隣接する様に配置すれば、内部層を均一に濡らし、水の含有量を均一にすることが出来るので、冷却の効率が向上する。
（５）  シート状の熱交換器における内部層を、重力が作用する方向（鉛直方向）の下方へ行くに連れて透水率が小さくなる様に構成すれば、水の蒸発のため、下方にいくに連れて内部層を流れる水の流量が減少しても、鉛直方向についても保水量を均一として、水の蒸発量及びそれにより奪われる気化熱を均一にすることが出来る。
【図面の簡単な説明】
【図１】本発明の第１実施形態を示す概念図。
【図２】本発明の第２実施形態を示すブロック図。
【図３】本発明の第２実施形態における供給水量の制御フローチャート。
【図４】本発明の第３実施形態を示す概念図。
【図５】本発明の第４実施形態を示す概念図。
【図６】本発明の第５実施形態を示す概念図。
【図７】本発明の第６実施形態を示す概念図。
【符号の説明】
５・・・建造物
５ａ・・・壁面
１０・・・シート状熱交換器
１１・・・第１の表層／防水層
１２・・・第２の表層／透質層
１３、１３Ａ、１３Ｂ、１３Ｃ・・・内部層
１３ａ・・・仕切り
１３ｂ・・・領域
１３ｄ・・・保水性が良好な区画
１３ｅ・・・保水性の乏しい区画
２０・・・給水機構
２１・・・給水タンク
２２・・・給水管
２４ａ、２４ｂ・・・給水管
１３０・・・チューブ
１３２・・・葉脈状分岐部
【図１】
2005037007.tif 000003
【図２】
2005037007.tif 000004
【図３】
2005037007.tif 000005
【図４】
2005037007.tif 000006
【図５】
2005037007.tif 000007
【図６】
2005037007.tif 000008
【図７】
2005037007.tif 000009